(57)【要約】【課題】本発明は、原稿搬送装置と画像読取部をスライドする機構を有する画像形成装置において、スライド時においても画像形成装置の重心位置の変化を少なくし、また装置の小型化を図ることが可能な画像形成装置を提供することを目的としている。【解決手段】上記課題を解決するために、本発明に係る画像形成装置の代表的な構成は、記録媒体に画像を記録する画像形成部と、前記画像形成部に対してずらす方向へスライド移動可能な画像読取部と、前記画像読取部へ原稿を搬送する原稿搬送装置と、前記画像読取部の下方かつ前記画像形成部の上部に設けられた、該画像形成部のカバー部材とを有し、前記画像読取部および原稿搬送装置をスライド移動させた状態で前記カバー部材を開くことにより前記画像形成部の内部に対して作業可能な画像形成装置において、前記カバー部を開いた際に、該カバー部と前記原稿搬送装置とを係合可能としたことを特徴とする。【選択図】    図３
2004354832.tif 000002
【特許請求の範囲】
【請求項１】
記録媒体に画像を記録する画像形成部と、
前記画像形成部に対してずらす方向へスライド移動可能な画像読取部と、
前記画像読取部へ原稿を搬送する原稿搬送装置と、
前記画像読取部の下方かつ前記画像形成部の上部に設けられた、該画像形成部のカバー部材とを有し、
前記画像読取部および原稿搬送装置をスライド移動させた状態で前記カバー部材を開くことにより前記画像形成部の内部に対して作業可能な画像形成装置において、
前記カバー部を開いた際に、該カバー部と前記原稿搬送装置とを係合可能としたことを特徴とする画像形成装置。
【発明の詳細な説明】
【０００１】
【発明の属する技術分野】
本発明は、装置上部にスライド移動可能な画像読取装置を備えた画像形成装置に関し、特にメンテナンス性の向上を図るものである。
【０００２】
【従来の技術】
従来から、デジタル複写機、ファクシミリ等の画像形成装置にあっては、図８に示すように、画像形成部Ａ、画像読取部Ｂと、画像読取部Ｂに原稿を連続的に搬送する原稿搬送装置Ｃからなる構成が知られている。
【０００３】
図８に示す画像読取部Ｂは、フレーム５１に走査レール５２が左右方向に位置し、その上部を原稿読取センサ５３が原稿台ガラス５４と平行に走査し、原稿台ガラス５４上にセットされた原稿を読み取る構成となっている（ブックモード）。原稿台ガラス５４には、原稿Ｐの先端を突き当ててセットするための、突当部材５５が設けられている。リーダモータ５６は、図１０に示すように、駆動部５７によって原稿読取センサ５３を走査レール５２に沿って平行移動させる。
【０００４】
また、原稿搬送装置Ｃから給送された原稿を読み取る際は、原稿読取センサ５３が読み取り位置Ｄ（図８参照）に位置し、原稿搬送装置Ｃの原稿積載トレイ５８から１枚ずつ原稿を給送搬送し、読み取り位置Ｄ上を副走査方向に移動させることにより原稿を読み取る構成となっている（流し読みモード）。
【０００５】
一方、画像形成部Ａにおいては、プロセスカートリッジの着脱、あるいは装置点検等で装置内部をメンテナンスする場合に、外装カバーやユニット、さらには画像形成部Ａに対して、画像読取部Ｂをスライドさせる機構を有するものがある。図８に示す装置では、レバー５９を引くことによりＸ方向（左側）に画像読取部Ｂを画像形成部Ａに対してずらす方向へスライド可能となっている。原稿搬送装置Ｃは、画像読取部Ｂの所定の位置に固定されているため、画像読取部Ｂをスライドさせる場合には、画像読取部Ｂと共に原稿搬送装置もスライドする（図９参照）。
【０００６】
【発明が解決しようとする課題】
しかしながら、画像読取部Ｂはフレーム５１、原稿台ガラス５４、原稿読取センサ５３、原稿読取センサ５３を駆動するための駆動部５７（モータ等）など、多数の部品から構成されている。さらに、原稿搬送装置Ｃにおいても原稿搬送用の複数のローラ、フレーム、排出トレイ、駆動部など、同様に多数の部品からなり、画像読取部Ｂと原稿搬送装置Ｃを合わせると例えば２ｋｇ以上の重量になるものもある。特に原稿搬送装置Ｃは、図８に示すように構成部品の多数が読み取り位置Ｄ側に配置されるために、重心がずらし方向先端側（左側）に位置している。
【０００７】
スライドするユニットが上記のように重量を有し、且つずらし方向先端側（左側）に重心が位置していると、スライド時に画像形成装置の重心位置が変化し、スライドしてずれた方向に画像形成装置が傾きやすくなる。さらに、スライドするユニット自身の重心バランスが悪いと、重心側に傾きながらスライドするために、スムーズにスライドすることができない。
【０００８】
また、画像読取部Ｂの読取センサ５３を走査するための駆動部（リーダモータ５６）は、画像読取部Ｂの高さ方向で他の部品より大きなスペースを必要とするために、図８に示すように、リーダモータ５６が画像形成部Ａ側に突出してしまう。
【０００９】
ここで、画像読取部Ｂをずらす方向へスライドさせた時、画像形成部Ａに誤ってクリップ等を落とさないように、プロセスカートリッジの着脱、あるいは装置点検等で装置内部をメンテナンスするために開閉するカバー６０が設けてある。このカバー６０を開いて作業する際に、使用者がカバー６０から手を離してプロセスカートリッジの着脱、あるいは装置点検等で装置内部をメンテナンスできるようにするためには、図９に示すように、カバー６０を９０度以上開いて、自重で開いた状態を保持できるようにしなければならない。
【００１０】
このためには画像読取部Ｂのスライド量を十分大きく取らなければならず、スライドする画像読取部Ｂの重心バランスを考慮する必要があり、重量のあるリーダモータ５６はずらし方向後端側（図中右側）に配置しなくてはならない。しかし、上記した如くリーダモータ５６は画像形成部Ａ側に突出してしまうことから、画像読取部Ｂをスライドさせるために、画像形成部Ａはリーダモータ５６の移動範囲に空間を確保しなくてはならない。さらに、リーダモータ５６の移動範囲が大きいと、画像形成部Ａに確保する空間の範囲が大きくなり、その部分に部品を配置できないために、高さ方向で装置が大型化してしまうという問題がある。
【００１１】
そこで本発明は、原稿搬送装置と画像読取部をスライドする機構を有する画像形成装置において、スライド時においても画像形成装置の重心位置の変化を少なくし、また装置の小型化を図ることが可能な画像形成装置を提供することを目的としている。
【００１２】
【課題を解決するための手段】
上記課題を解決するために、本発明に係る画像形成装置の代表的な構成は、記録媒体に画像を記録する画像形成部と、前記画像形成部に対してずらす方向へスライド移動可能な画像読取部と、前記画像読取部へ原稿を搬送する原稿搬送装置と、前記画像読取部の下方かつ前記画像形成部の上部に設けられた、該画像形成部のカバー部材とを有し、前記画像読取部および原稿搬送装置をスライド移動させた状態で前記カバー部材を開くことにより前記画像形成部の内部に対して作業可能な画像形成装置において、前記カバー部を開いた際に、該カバー部と前記原稿搬送装置とを係合可能としたことを特徴とする。
【００１３】
【発明の実施の形態】
本発明に係る画像形成装置の実施形態について、図を用いて説明する。
（装置の全体構成）
図１は画像形成装置の断面図である。図１に示すように、画像形成装置本体（複写機）は、大きく分けて画像形成部Ａ、画像読取部Ｂ、および原稿搬送装置Ｃからなる。
【００１４】
画像読取部Ｂは画像形成部Ａの上部に配置されている。画像読取部Ｂの内部では、フレーム１に走査レール２が図中左右方向に位置し、その上部を原稿読取センサ３、例えばコンタクトイメージセンサ（ＣＩＳ）が原稿台ガラス４と平行に走査し、その原稿台ガラス４上にセットされた原稿を読み取る構成となっている（ブックモード）。
【００１５】
原稿台ガラス４上には、原稿の先端部（左側）を突き当ててセットするために、突当部２０が設けられている。また、原稿搬送装置Ｃから給送された原稿を読み取る際は、原稿読取センサ３が読み取り位置Ｄに位置し、原稿搬送装置Ｃの原稿積載トレイから１枚ずつ原稿を給送搬送し、読み取り位置Ｄ上を副走査方向に移動させることにより原稿を読み取る構成となっている（流し読みモード）。
【００１６】
ブックモード時、流し読みモード時共に、原稿読取センサ３を移動するためのリーダモータ２１が画像読取部Ｂの左側（後述する、ずらし方向先端側）に配置されている（図１参照）。
【００１７】
上記説明したブックモード、及び流し読みモードで読取られた画像情報は、ケーブル（不図示）を通じて画像形成部Ａ側のスキャナーユニット５へ転送される。スキャナーユニット５からは画像情報に基づいた情報光をプロセスカートリッジ６内のドラム形状の感光体ドラム７へ照射して感光体ドラム７に潜像を形成し、この潜像を現像剤（以下「トナー」という）で現像してトナー像を形成する。
【００１８】
前記トナー像の形成と同期して、記録媒体８（用紙等）を給送カセット９からピックアップローラ１０ａより１枚ずつ分離給送すると共に、搬送ローラ１０ｂ、レジストローラ対１０ｃ等からなる搬送手段１０で搬送し、且つプロセスカートリッジ６としてカートリッジ化された感光体ドラム７に形成したトナー像を転写手段としての転写ローラ１１に電圧印加することによって記録媒体８の上面に転写し、その記録媒体８を搬送手段１０によって定着手段１２へと搬送し、通過する記録媒体８に熱及び圧力を印加して転写トナー像を定着し、排出部１３へと排出する。
【００１９】
（画像読取部のスライド構成）
次に画像読取部Ｂのスライド構成について説明する。図２は画像形成装置の外観斜視図、図３は画像読取部をスライド移動させた状態の断面図、図４は画像読取部をスライド移動させた状態の外観斜視図である。
【００２０】
図２に示すように、画像形成部Ａと画像読取部Ｂは、画像読取部Ｂのフレーム１に形成されたボス１ａ及びレールガイド１ｂと画像形成部Ａ側の天面部に設けられたレールガイド１４ａ及びボス１４ｂとで支えられている。そして図３に示されるレバー１５を矢印Ｘ方向（ずらし方向）へ引くことで、画像形成部Ａに対して画像読取部Ｂは図３の左側にスライドする構成となっている。
【００２１】
（原稿搬送装置の構成）
次に原稿搬送装置Ｃについて説明する。図５は原稿搬送装置と画像読取部との固定状態を説明する図、図６は原稿搬送装置を説明する正面断面図、図７は原稿搬送装置の駆動説明図である。
【００２２】
原稿搬送装置Ｃはオプションによって画像読取部Ｂの上部に装着可能であって、図５（ｂ）に示すように、原稿搬送装置Ｃはヒンジ１０１Ｌ、１０１Ｒを、画像読取部Ｂのヒンジ受部２０１に差し込んで固定されている。従って、図３に示すように、画像読取部Ｂをスライドする際は、原稿搬送装置Ｃも画像読取部Ｂと共に一体的にスライドする。
【００２３】
図６は原稿搬送装置Ｃの正面断面説明図である。原稿搬送装置Ｃは、原稿の画像面を下向きにして載置する原稿トレイ１０２と、原稿に対向する位置にピックアップローラ１０３、その下流にパッド１０４と分離ローラ１０５からなる分離部がある。なお、ピックアップローラ１０３は、分離ローラ１０５の回転中心に回動可能となり、下向きに載置された原稿束の１番上（ラストページ）と接するようになっている。
【００２４】
また、ピックアップローラ１０３と分離ローラ１０５の間には、原稿セットセンサー１４１があり、原稿トレイ１０２上に原稿があるかを検知している。分離ローラ１０５の下流には、レジストローラ１０６、１０７がある。分離ローラ１０５とレジストローラ１０６、１０７の間にはレジ前センサー１４２があり、分離ローラ１０５が原稿をレジストローラ１０６、１０７まで搬送するための搬送量を決めるために設けられている。レジストローラ１０６、１０７の下流には、プラテンローラ１０８が画像読取部Ｂのフレーム１の原稿台ガラス４上に原稿を押し付けながら搬送できるようになっている。
【００２５】
プラテンローラ１０８の下流には、原稿台ガラス４上の原稿を排出する搬送ローラ１０９、１１０がある。さらに下流には、原稿を排出トレイ１１８に排出する排出ローラ１１１、１１２がある。
【００２６】
（駆動系）
図７は原稿搬送装置Ｃの駆動説明図であり、それぞれのローラは、ギア列やタイミングベルトにより駆動伝達される。駆動モータ１２１のプーリ１２３が開閉カバー１５１（図６参照）の回動中心である給送駆動軸１４３上のプーリ１６１にタイミングベルト１６２を介してつながっている。給送駆動軸１４３の軸上に配置されたプーリ１２５が分離ローラ軸１３３上に配置されたプーリ１２６とタイミングベルト１２７を介してつながっている。また、前記プーリ１２６はピックアップローラ軸１３５上に配置されたプーリ１２９とタイミングベルト１３０を介してつながっており、駆動が伝達されている。
【００２７】
プーリ１２６の回転駆動は、ワンウェイクラッチ１２４を介して分離ローラ１０５に駆動伝達され、図６において反時計回り方向には駆動が伝達されるが、時計回り方向には駆動がかからない構成となっている。プーリ１２９の回転駆動は、カップリング部１３２を介してピックアップローラ１０３に駆動伝達される。前側給送アーム１１９と奥側給送アーム１２０は、分離ローラ軸１３３とピックアップローラ軸１３５を支持しており、分離ローラ軸１３３を回動中心としてピックアップローラ１０３が回動自在に構成されている。
【００２８】
また、ピックアップローラ軸１３５には摩擦部材１３１がプーリ１２９と奥側給送アーム１２０の間に設けられており、加圧バネ１３４により奥側給送アーム１２０側に付勢されている。従って、プーリ１２６からタイミングベルト１３０を介してプーリ１２９を反時計回り方向に回転させると、摩擦部材１３１の摺動負荷によりピックアップローラ１０３が分離ローラ軸１３３を中心に反時計回り方向（下降方向）に回転する。逆にプーリ１２６が時計回り方向に回転すると、ピックアップローラ１０３は分離ローラ軸１３３を中心に時計回り方向（上昇方向）に回転する。
【００２９】
次にレジストローラ１０６、プラテンローラ１０８、搬送ローラ１０９、排出ローラ１１１の駆動系について説明する。
【００３０】
図７に示すように、駆動モータ１２１のプーリ１２２からタイミングベルト１６４を介してプーリ１６３に駆動伝達される。プーリ１６３にはワンウェイクラッチ１６５が接続されており、分離ローラ１０５への駆動方向とは逆方向の駆動のみをレジストローラ１０６に伝達する。従って、駆動モータ１２１が正転時には、分離ローラ１０５が反時計方向に駆動を受けるが、レジストローラ１０６には駆動伝達されない。また、駆動モータ１２１が逆転時には、分離ローラ１０５には駆動伝達されないが、レジストローラ１０６には時計方向に駆動が伝達される。
【００３１】
レジストローラ１０６の軸上にはプーリ１６６が設けられ、タイミングベルト１６８を介してプラテンローラ１０８軸上のプーリ１６７に駆動が伝達される。またレジストローラ１０６の軸上に配置されたプーリ１６９、１７２の駆動がタイミングベルト１７１、１７４を介して、プーリ１７０とプーリ１７３に駆動伝達され、それぞれ搬送ローラ１０９と排出ローラ１１１を回転させる。
【００３２】
（部品の配置）
前記原稿搬送装置Ｃの原稿搬送部材としてのピックアップローラ１０３、分離ローラ１０５、レジストローラ１０６、１０７、プラテンローラ１０８、搬送ローラ１０９、１１０、排出ローラ１１１、１１２、更には原稿搬送駆動部としての駆動モータ１２１を、画像読取部Ｂのずらし方向（矢印Ｘ方向）において、原稿搬送装置Ｃの長さの中央Ｈよりも前記ずらし方向後端側（図６の右側）に位置するように配置されている。このため、原稿搬送装置Ｃの重心Ｇも、図５に示すように、前記ずらし方向Ｘにおいて、原稿搬送装置Ｃの長さの中央Ｈよりも前記ずらし方向後端側（図５の右側）に位置している。
【００３３】
従って、図３に示すように、プロセスカートリッジ６を交換する場合等にあって、画像読取部Ｂと原稿搬送装置Ｃをずらし方向Ｘにスライドさせたときに、原稿搬送装置Ｃの重心Ｇの位置は画像形成部Ａの上部にあり、画像形成装置が安定して設置可能である。このため、画像読取部Ｂは小さなスライド力でスムーズにスライド可能である。
【００３４】
一方、画像読取部Ｂは、原稿読取センサ３を走査方向に搬送するためのセンサ搬送駆動部としてのリーダモータ２１が前記ずらし方向に対して画像読取部Ｂの長さの中央よりも前記ずらし方向先端側（図１の左側）に配置されている。なお、本実施形態では前記ずらし方向の先端付近に配置されている。これにより、リーダモータ２１が画像形成部Ａ側にはみ出していたとしても、画像読取部Ｂをずらし方向にスライドするときにリーダモータ２１が画像形成部Ａを移動する範囲は小さいため、画像形成部Ａを削る範囲は小さく、高さ方向での装置の小型化を図っている。
【００３５】
（カバー部と原稿搬送装置との係合）
図３に示すように、前記画像形成部の上部、すなわち画像読取部の下方には、カートリッジカバー３０（カバー部材）を設けている。カートリッジカバー３０は画像読取部Ｂおよび原稿搬送装置Ｃをスライド移動させた際に露出し、画像形成部Ａに対して開閉可能となっている。カートリッジカバー３０は画像読取部Ｂをスライドしたときにクリップ等を使用者が誤って画像形成部Ａ内に落としてしまうことで、画像形成装置が動作できなるなどの不具合を未然に防止するためのものである。使用者がプロセスカートリッジ６（交換用部材）やトナーカートリッジ（補給用部材）の着脱や、記録媒体８の搬送時のジャムに対する処理等を行う時は、画像読取部Ｂを移動させた後に、カートリッジカバー３０を開けて行う。
【００３６】
カートリッジカバー３０はＰＣ−ＡＢＳ等のモールド部材でできており、カートリッジカバー３０を開けた際に原稿搬送装置Ｃと係合する係合部３０ａと、把手部３０ｂ、プロセスカートリッジ６を画像形成部Ａ内に導くガイドリブ３０ｃ（案内部）を有している。係合部３０ａはカートリッジカバー３０がＰＣ−ＡＢＳ等のモールド部材でできており、係合部先端にテーパ面を形成しており、係合時にたわんで係合をスムーズに行うことができる。また、カートリッジカバー３０がモールド部材でできているため、係合部３０ａと、把手部３０ｂ、ガイドリブ３０ｃを一体で構成することができ、部材を増やすことなく、簡単な構成で安価に上記構成が実現できる。
【００３７】
一方、原稿搬送装置Ｃの外装カバー１５２には、カートリッジカバー３０を開けた際に係合部３０ａと係合するための被係合部１５２ａが図中右側に設けられている。なお、被係合部１５２ａの先端にはテーパ面を形成しており、カートリッジカバー３０の係合部３０ａをたわみやすくして、係合をスムーズに行うことができる。
【００３８】
（プロセスカートリッジ６交換時の説明）
プロセスカートリッジ６を交換する場合には、使用者はまず、図３に示されるレバー１５を矢印Ｘ方向（ずらし方向）へ引くことで、画像形成部Ａに対して画像読取部Ｂは図３の左側にスライドする。
【００３９】
次に、カートリッジカバー３０の把手部３０ｂを持ち、カートリッジカバー３０を開くと共に、カートリッジカバー３０の係合部３０ａを原稿搬送装置Ｃの外装カバー１５２に設けられた被係合部１５２ａと係合させる。これにより、カートリッジカバー３０はロックされ、カートリッジカバー３０は９０度以下の開放角度でありながら、使用者が手を離しても開いた状態を保持可能となる。さらに、カートリッジカバー３０は９０度以下の開放角度で良いため、画像読取部Ｂのスライド量を少なくすることが可能となる。
【００４０】
次に、使用者は画像形成部Ａ内のプロセスカートリッジ６を取り出し、新しいプロセスカートリッジ６を画像形成部Ａ内に挿入する。この際、図４に示すように、カートリッジカバー３０の裏面に設けられたガイドリブ３０ｃに沿って、プロセスカートリッジ６を画像形成部Ａ内に挿入する。このように、カートリッジカバー３０の開放角度が９０度以下で、使用者の操作するスペースが小さくなっても、使用者の操作を妨げることなく、逆に、カートリッジカバー３０の裏面にガイドリブ３０ｃを有することで、使用者のプロセスカートリッジ６を画像形成部Ａ内に挿入する操作を補助し、スムーズに交換作業を行うことができる。
【００４１】
そして、画像読取部Ｂを矢印Ｘと逆方向へスライド移動させ、レバー１５がロックさせることで、プロセスカートリッジ６の交換作業を終了する。
【００４２】
上記説明した如く、カートリッジカバー３０を開いた際に、カートリッジカバー３０と原稿搬送装置Ｃとを係合可能に構成したことにより、カートリッジカバー３０の開放角度が９０度以下でも、使用者が手を離しても開いた状態を保持可能となる。これにより画像読取部Ｂのスライド量を小さくすることができるため、画像形成装置の重心位置の変化が少なく、画像形成装置が安定して設置可能となる。また画像読取部Ｂおよび原稿搬送装置Ｃの重心が画像形成部Ａからはみ出さないため、画像読取部Ｂは小さな力でスムーズにスライド可能である。さらに、カートリッジカバー３０を開けた際の係合が原稿搬送装置Ｃとなされるため、係合部がカートリッジカバー３０の先端側となり、カートリッジカバー３０の開いた状態の保持力が少なくてすむ。このため、係合部がモールド部材であっても、強度的な問題もない。
【００４３】
なお、上記実施形態において、カートリッジカバー３０の開放角度を９０度以下としているが、９０度以上でも自重でカートリッジカバー３０を保持できない領域であれば画像読取部Ｂをスライドさせた時のスライド量を小さくできる効果を得ることができる。
【００４４】
また、読取部Ｄを図３の右側としているが、従来例の図８に示すように左側としてもよく、スライド量を小さくしたことによる上記利益を得ることができる。
【００４５】
さらに、カートリッジカバー３０をモールド部材として、係合部３０ａをカートリッジカバー３０と一体に形成し、係合部３０ａをたわませて原稿搬送装置Ｃの外装カバー１５２に設けられた被係合部１５２ａと係合させる構成としているが、原稿搬送装置Ｃとの係合が可能なマグネットキャッチやレバー等の別部材で構成してもよい。また、ガイドリブ３０ｃも、本実施形態に示す如く必ずしもカートリッジカバー３０と一体に設ける必要はなく、プロセスカートリッジ６を画像形成部Ａ内に導くガイド板等の別部材で構成してもよい。
【００４６】
〔実施態様〕
本発明の実施態様について以下に列挙する。
【００４７】
〔実施態様１〕
記録媒体に画像を記録する画像形成部と、
前記画像形成部に対してずらす方向へスライド移動可能な画像読取部と、
前記画像読取部へ原稿を搬送する原稿搬送装置と、
前記画像読取部の下方かつ前記画像形成部の上部に設けられた、該画像形成部のカバー部材とを有し、
前記画像読取部および原稿搬送装置をスライド移動させた状態で前記カバー部材を開くことにより前記画像形成部の内部に対して作業可能な画像形成装置において、
前記カバー部を開いた際に、該カバー部と前記原稿搬送装置とを係合可能としたことを特徴とする画像形成装置。
【００４８】
〔実施態様２〕
前記カバー部と前記原稿搬送装置とを係合した際に、前記カバー部の画像形成装置に対する開放角度が９０度以下であることを特徴とする実施態様１記載の画像形成装置。
【００４９】
〔実施態様３〕
前記カバー部は、画像形成装置の補給用部材もしくは交換用部材の着脱のために設けられており、
前記カバー部は、前記原稿搬送装置と係合した際に、前記補給用部材もしくは交換用部材を画像形成装置内に導く案内部を有することを特徴とする実施態様１または２記載の画像形成装置。
【００５０】
〔実施態様４〕
前記カバー部はモールド部材であって、
前記案内部とは、前記カバー部に一体的に形成されたリブであることを特徴とする実施態様３記載の画像形成装置。
【００５１】
【発明の効果】
以上説明したように、本発明によれば、カバー部材を開けた際に原稿搬送装置と係合可能としたことで、使用者が手を離してもカバー部材の開いた状態を保持することができ、画像読取部および原稿搬送装置のスライド量を少なくすることができる。
【００５２】
これにより、スライドさせたときに画像形成装置の重心位置の変化が少なく、画像形成装置が安定して設置可能となる。また、画像読取部は小さなスライド力でスムーズにスライド可能である。また、スライド量が小さいことにより、画像読取部の重心が画像形成部から外れなければ、画像読取部の傾きが抑えられるため、装置フレームへの変形要因を抑えることができ、画質の安定性にも効果がある。
【００５３】
また、スライド量が小さくなることにより、重量のあるモータであっても、ずらし方向先端側に配置することができる。これに付随して、モータが画像読取部から下方に突出するよう配置されていても、画像形成部にかかる範囲はきわめて小さくなり、画像形成部側に確保すべき空間も小さくなり、全体的な装置の小型化を図ることができる。またモータをずらし方向先端側に配置しない場合にあっても、スライド量が小さくなることから、画像形成部側に確保すべき空間を小さくすることができる。
【図面の簡単な説明】
【図１】画像形成装置の断面図である。
【図２】画像形成装置の外観斜視図である。
【図３】画像読取部をスライド移動させた状態の断面図である。
【図４】画像読取部をスライド移動させた状態の外観斜視図である。
【図５】原稿搬送装置と画像読取部との固定状態を説明する図である。
【図６】原稿搬送装置を説明する正面断面図である。
【図７】原稿搬送装置の駆動説明図である。
【図８】従来の画像形成装置を説明する全体構成図である。
【図９】従来例に係る画像読取部をスライドさせた状態を説明する図である。
【図１０】従来例に係る画像読取部の駆動部を説明する図である。
【符号の説明】
Ａ        …画像形成部
Ｂ        …画像読取部
Ｃ        …原稿搬送装置
Ｄ        …読み取り位置
Ｇ        …重心
Ｈ        …中央
１        …フレーム
１ａ    …ボス
１ｂ    …レールガイド
２        …走査レール
３        …原稿読取センサ
４        …原稿台ガラス
５        …スキャナーユニット
６        …プロセスカートリッジ
７        …感光体ドラム
８        …記録媒体
９        …給送カセット
１０        …搬送手段
１０ａ    …ピックアップローラ
１０ｂ    …搬送ローラ
１０ｃ    …レジストローラ対
１１        …転写ローラ
１２        …定着手段
１３        …排出部
１４ａ    …レールガイド
１４ｂ    …ボス
１５        …レバー
２０        …突当部
２１        …リーダモータ
３０        …カートリッジカバー
３０ａ    …係合部
３０ｂ    …把手部
３０ｃ    …ガイドリブ
１０１Ｌ、１０１Ｒ  …ヒンジ
１０２      …原稿トレイ
１０３      …ピックアップローラ
１０４      …パッド
１０５      …分離ローラ
１０６、１０７      …レジストローラ
１０８      …プラテンローラ
１０９、１１０      …搬送ローラ
１１１、１１２      …排出ローラ
１１８      …排出トレイ
１１９      …前側給送アーム
１２０      …奥側給送アーム
１２１      …駆動モータ
１２２、１２３      …プーリ
１２４      …ワンウェイクラッチ
１２５、１２６      …プーリ
１２７      …タイミングベルト
１２９      …プーリ
１３０      …タイミングベルト
１３１      …摩擦部材
１３２      …カップリング部
１３３      …分離ローラ軸
１３４      …加圧バネ
１３５      …ピックアップローラ軸
１４１      …原稿セットセンサー
１４２      …レジ前センサー
１４３      …給送駆動軸
１５１      …開閉カバー
１５２      …外装カバー
１５２ａ  …被係合部
１６１      …プーリ
１６２      …タイミングベルト
１６３      …プーリ
１６４      …タイミングベルト
１６５      …ワンウェイクラッチ
１６６、１６７      …プーリ
１６８      …タイミングベルト
１６９、１７０      …プーリ
１７１      …タイミングベルト
１７２、１７３      …プーリ
１７４      …タイミングベルト
２０１      …ヒンジ受部
【図１】
2004354832.tif 000003
【図２】
2004354832.tif 000004
【図３】
2004354832.tif 000005
【図４】
2004354832.tif 000006
【図５】
2004354832.tif 000007
【図６】
2004354832.tif 000008
【図７】
2004354832.tif 000009
【図８】
2004354832.tif 000010
【図９】
2004354832.tif 000011
【図１０】
2004354832.tif 000012